(57)【特許請求の範囲】
【請求項１】
長手側部に間隔を開けて開放している室（２）と、それぞれ少なくとも二つの舌部（４）を有する、室（２）内に収容された接触バネの組（３）とを備えた、電話やデータ導線の分配器のケーブル接続端子のための多重接続条片であって、
室（２）は、各接触バネの組（３）の舌部（４）の長手方向のエッジを形状を合わせて挿入可能な形で収容するための横方向の案内溝（９）を有し、
接触バネの組（３）の二つの舌部（４）は、接点バネ（７）を有し、接点バネ（７）の自由端には、線材接続手段である切断挟持部（５）が一つずつ配備され、舌部（４）の内側の端部がウェブ（６）によって接続されており、
この接続条片のハウジング（１）は、接触バネの組（３）の全長を収容する一体的なプラスチック体で構成されており、
二つの舌部（４）は、互いに間隔を開けて配置されており、
線材接続手段（５）、接点バネ（７）およびウェブ（６）は、ハウジング（１）への装着方向に対してこの順番に、少なくともほぼ一直線に並んで、舌部（４）の長手方向のエッジの間に配置されており、
ウェブ（６）は、狭い幅で折れ曲げ可能であり、
この多重接続条片は、接触バネの組（３）を常時接続接点として構成することによって常時接続条片となり、そのように構成した接触バネの組（３）において、ウェブ（６）を折り曲げて切換接点として改造することによって切換条片となり、更に絶縁片を挿入するか、あるいは接点バネ（７）を変形させて常時開放接点として改造することによって常時開放条片となる多重接続条片。
【請求項２】
室（２）は、接触バネの組（３）の舌部（４）の内側の端部を接続する折り曲げ可能なウェブ（６）の領域において、折り曲げ器具を一時的に収容するための開口部を有することを特徴とする請求項１に記載の多重接続条片。
【請求項３】
室（２）は、接触バネの組（３）の接触個所（８）の領域において、絶縁分離片を挿入するための案内手段を有することを特徴とする請求項１または２に記載の多重接続条片。
【請求項４】
プラグを挿入する時、このプラグが接触個所（８）のエッジのみと接触するように、接触個所（８）が横に傾いていることを特徴とする請求項１〜３の何れか１項に記載の多重接続条片。
【発明の詳細な説明】
【０００１】
この発明は、特に電話導線やデータ導線の配分器のケーブル接続端子に対する多重接続条片の長手側に間隔を開けて開放している室に挿入可能に収容する接触バネの組に関する。
【０００２】
今まで普通の接触バネの組は、仕上がり接続条片を作製する時にこれ等のバネの組を条片の開放されたハウジング部品に入れ、これによりハウジングを他の部品で完全にするために設計されている。
【０００３】
外から一方の側から装着することを要求する多重接続条片の長手側に間隔を開けて開放されている室に挿入可能に収容するため、周知の接点の組はその構造が不適当なため利用できない。
【０００４】
それ故、この発明の課題は外から片側に装着できる接触バネの組を提供することにある。
【０００５】
上記の課題は、この発明により、先ず接触バネの組に間隔を開けた接触バネを有する少なくとも二つの舌部があり、舌部の長手方向のエッジが多重接続条片の室の一つの案内溝に形状を合わせて挿入可能に嵌合させるためにあり、これ等の舌部が自由端に線材接続手段、好ましくは切断挟持部を有し、内部の端部でウェブにより接続されていて、少なくとも線材接続手段、接触バネおよびウェブが装着方向に順次、少なくともほぼ揃って舌部の長手方向のエッジの間に存在することにより達成されている。
【０００６】
この場合、ウェブは幅が狭く折れ曲がると有利である。
【０００７】
これは、接触バネの組がウェブを折り曲げて分離接点に、あるいは絶縁片を挿入して、あるいは変形により、切換接点に改造できる貫通接点であることを可能にする。
【０００８】
そのような接触バネの組で敏感な接触個所を検査、切り離し等のような操作する時の汚れおよび／または損傷に対して保護するため、この発明によれば、プラグを入れる時、接触個所のエッジのみが接触するように、接触個所が横に傾けてある。
【０００９】
この発明の接触バネの組により、接続条片を外から、しかも片側から装着できる。結局、これはこの発明による接触バネの組のただ一つの実施態様だけを用いて装着できるが、それでも貫通条片あるいは分離条片あるいは切換条片として利用できる対応する接続条片を提供する役目を与える。
【００１０】
ケーブル接続端子用の接触バネの組、特に電話やデータ導線の分配器の各一つを挿入可能に収容するため長手側に間隔を開けて開いている室を有するそのような多重接続条片は、この発明によれば、先ずそのハウジングが一体のプラスチック本体で形成されている点で優れている。
【００１１】
接触バネの組のところで間隔を開けた少なくとも二つの舌部の長手縁部分を形状に合わせて挿入可能に収納するためこれ等の室には横案内溝があると有利で、その場合、これ等の舌部が接触バネを有し、自由端に線材接続手段、好ましくは切断挟持部があり、内部の端部で一つのウェブで接続されている。そして、その場合、少なくとも線材接続手段、接触バネおよびウェブが舌部の縦縁部分の間に装着方向に順次、少なくともほぼ揃っている。
【００１２】
この発明による接続条片の普遍性は、内部の端部で接点の組の舌部を接続する、好ましくは折り曲げ可能なウェブの領域に折り曲げ器具を一時的に入れる開口部が室にあることにより向上する。
【００１３】
接点の組の接触個所の領域に絶縁分離片を入れる案内手段が室にあると更に有利である。
【００１４】
その場合、接触バネの組がウェブを折り曲げて分離接点に、あるいは絶縁分離片を挿入するか、あるいは変形により、切換接点に改造できる貫通接点であることにより、接続条片は貫通条片または分離条片または切換条片である。
【００１５】
上記の処置により単品の分配条片を前側で一貫した接触バネの組と共に装着することができる。この分配条片は、設定に応じて、接続条片として残すか、あるいはウェブを折り曲げて分離条片に、または絶縁片を挿入するか接点を変形して切換条片に改造できる。
【００１６】
これにより、極度にコスト上望ましい製造や保管が達成される。
【００１７】
以下、図面に基づきこの発明の内容の実施例をより詳しく説明する。
【００１８】
この発明による図１と２の多重接続条片はプラスチックのハウジング１と共に、特に電話やデータ導線の分配器のケーブル接続端子のためにあり、このハウジングには長手側に間隔を開けて多数の接触バネの組３がある。
【００１９】
この発明によれば、プラスチックのハウジング１は一体に形成されていて、各一つの接触バネの組３を挿入可能に収納するため長手側に間隔を開けて開放された多数の室２を有する。
【００２０】
その場合、これ等の室２には、接触バネの組３のところで間隔を開けた、ここでは平行な少なくとも二つの舌部４の長手方向のエッジを形状に合わせて挿入可能に収容するため、ここでは平行な横案内溝９がある（図２）。
【００２１】
更に、これ等の室２には、折り曲げ器具（図示せず）を一時的に入れるため、内部の端部で一つの接点の組３の舌部４を接続する折り曲げ可能なウェブ６の領域に一つの開口部がある。
【００２２】
更に、これ等の室２には、絶縁分離片（図６）を取り付けるため、接点の組３の接触個所８の領域に案内手段（図示せず）がある。
【００２３】
接触バネの組をそのような室２に整列させて回転しないように挿入できるため、図３の接触バネの組３の各々にはこの発明によれば接触個所８を有する接触バネ７のある、ここでは平行な、間隔を開けた少なくとも二つの舌部４がある。その場合、舌部の長手方向のエッジは多重接続条片１の室２の一つの案内溝９に形状に合わせて挿入できるように（図２）嵌合させるためにある。
【００２４】
更に、接触バネの組３のこれ等の舌部４は、自由端に線材接続手段、特に切断挟持部５があり、内部端部に幅の狭い主に折り曲げ可能な少なくとも一つのウェブ６により接続している。
【００２５】
この場合、少なくとも線材接続手段５，接触バネ７およびウェブ６は形状を合わせて嵌合させるためにある舌部４の長手方向のエッジの間で装着方向に順次、ほぼ揃って存在する。
【００２６】
図４，５と６によれば、接触バネの組はウェブを折り曲げて接触接点に、あるいは絶縁片を挿入して、あるいは接点の変形により、切換接点に改造できる貫通接点である。
【００２７】
これ等の処置により、単品あるいは一体の分配条片を一元的な接触バネの組と共に前側で装着することができる。この分配条片は、設定に応じて、接続条片まあは貫通条片あるいは分離条片または切換条片として改造できる。その場合、接触バネの組はウェブを折り曲げて分離接点に、あるいは絶縁分離片を挿入するか変形により切換接点に改造できる貫通接点である。
【００２８】
このような接触バネの組では、大変敏感な接触個所８を、検査、分離等のような操作時に汚れおよび／または損傷に対して保護するため、図７と８で更に接触個所８を横に傾けている。その結果、プラグ１０を入れる時（図８），接触個所のエッジのみ接触するが、本来の接触面は無負荷にされている。更に、接触バネの組３の各々には平行な取出部１１がある。
【００２９】
接触バネの組をハンダなしの切断クランプ配線のために使用し、それぞれ一つの切断クランプスリットと、この切断クランプスリットの後に所定の間隔で離して配置された切断エッジを有するなら、切断クランプ座の長手エッジあるいは切断エッジを有する舌部を収容するため、各室に更に他の横方向の案内溝が設けてある。
【図面の簡単な説明】
【図１】  装着方向に対して前に置かれた接触バネの組を伴う一体の多重接続条片を斜視図で示す。
【図２】  挿入された接触バネの組と共に、図１の多重接続条片を拡大寸法で一部斜視図にして示す。
【図３】  この発明による接触バネの組を模式図で示す。
【図４】  常時接続接点としての図３の接触バネの組の側面図を示す。
【図５】  切換接点としての図３の接触バネの組の側面図を示す。
【図６】  常時開放接点としての図３の接触バネの組の側面図を示す。
【図７】  一機能の図３の接触バネの組の接触個所を拡大して平面図にして示す。
【図８】  他の機能の図３の接触バネの組の接触個所を拡大して平面図にして示す。
【図１】
0004346241.tif 000002
【図２】
0004346241.tif 000003
【図３】
0004346241.tif 000004
【図４】
0004346241.tif 000005
【図５】
0004346241.tif 000006
【図６】
0004346241.tif 000007
【図７】
0004346241.tif 000008
【図８】
0004346241.tif 000009